(57)【要約】【課題】煙を出すことなくタバコの風味を味わえる無煙タバコパイプを提供する。【解決手段】一端側に吸口部１６が形成されるとともに他端側にタバコのフィルタ部を挿脱自在に挿入させる挿入口１８が形成され、タバコのフィルタ部を少なくとも２個直列状に収容し、挿入口側に燃え残し付きフィルタ部を該燃え残し部分が筒体端部から突出するように挿入されるパイプ本体１２と、タバコの燃え残し部分に挿入外嵌させて該燃え残し部分２６を覆いつつパイプ本体１２に接続され、パイプ本体１２の吸口部１６からの吸引に対する通気を確保しながらタバコの燃え残し部分２６に装着される筒状のキャップ部材１４と、を備える。使用する際に煙を出さないので禁煙場所でも使用でき、周囲に煙害を起こさない。【選択図】図１ 
0003103669.tif 000002
【実用新案登録請求の範囲】
【請求項１】
一端側に吸口部が形成されるとともに他端側にタバコの円柱状フィルタ部を挿脱自在に挿入させる挿入口が形成され、タバコのフィルタ部を少なくとも２個直列状に収容し得る長さの中空筒体からなり、挿入口側に燃え残し付きフィルタ部を該燃え残し部分が筒体端部から突出するように挿入されるパイプ本体と、
タバコの燃え残し部分を挿脱可能に挿入外嵌させて該燃え残し部分を覆いつつパイプ本体に接続され、パイプ本体の吸口部からの吸引に対する通気を確保しながらタバコの燃え残し部分に装着される筒状のキャップ部材と、を備えたことを特徴とする無煙タバコパイプ。
【請求項２】
キャップ部材は両端開口した中空筒体で設けられ、タバコの燃え残し部分に装着された際の延長他端側の開口部には、通気性を有しながら灰の落下を防止する通気性閉鎖手段が設けられたことを特徴とする請求項１記載の無煙タバコパイプ。
【請求項３】
通気性閉鎖手段は、通気性栓部材であることを特徴とする請求項２記載の無煙タバコパイプ。
【請求項４】
通気性栓部材は、タバコのフィルタ部を利用することを特徴とする請求項３記載の無煙タバコパイプ。
【請求項５】
パイプ本体の挿入口側にフィルタ部を挿入させたタバコの燃え残し部分にキャップ部材を装着させてキャップ部材を支持させ、パイプ本体の端部とキャップ部材の端部を突き合わせて接続されることを特徴とする請求項１ないし４のいずれかに記載の無煙タバコパイプ。
【考案の詳細な説明】
【技術分野】
【０００１】
本考案は、煙を出すことなく様々な場所でタバコの風味を味わえる無煙タバコパイプに関する。
【背景技術】
【０００２】
近年、タバコの喫煙時の煙害や吸殻のポイ捨てが社会的にも問題になっており、周りの非喫煙者の健康対策や周囲環境維持の観点から、例えば、病院、レストラン、役場、駅、会社、ビル、その他の公共の施設、商業施設、娯楽施設内またはバス、電車、飛行機等の公共の乗物内等、様々な場所で禁煙場所が拡大するとともに喫煙場所が制限、縮小されつつある。さらに、道路での歩きタバコを規制する法律も注目されている。これらの喫煙規制により、喫煙者は長時間喫煙を禁止されることが増えている。喫煙者、特にヘビースモーカーにとっては、長時間禁煙するのはつらいことが多く、落ち着かなかったり、イライラしたり等のストレスを感じやすい。これにより、仕事に集中できなかったり、休憩時にリラックスできなかったり、娯楽を楽しめない場合があった。また、タバコの代わりに口を紛らわせるために飴、ガム、お菓子等を口にすることもあるが、食べ過ぎてしまうことも多く、かえって肥満、糖尿病等の他の病気を引き起こす場合もあった。
【０００３】
一方、特開平１０−１４５５７号公報には、喫煙時の煙害を防止することに着目して提案された無煙パイプが開示されている。この特開平１０−１４５５７号公報の無煙パイプは、中間位置に活性炭を内蔵する煙濾過部を設置した筒体の一端側にタバコを固定し、他端側に筒内の煙を強制排気するファンを取付けられている。使用する際には、ファンを回転させながら筒内部でタバコを燃焼させ、筒内で発生した煙を煙濾過部で濾過しながらファンによって強制排気させて、排気される煙に含まれる有害物質の低減と喫煙者の口に入る煙の量の減少を図るものであった。
【特許文献１】特開平１０−１４５５７号公報
【考案の開示】
【考案が解決しようとする課題】
【０００４】
しかしながら、特開平１０−１４５５７号公報の無煙パイプでは、筒内のタバコの煙を濾過しながら強制排気するだけであるから、結局は、煙が出ることに変わりはなく、上記のような禁煙場所では利用できない。しかも、喫煙者の口に入る煙が減るためタバコの味が薄くなり、喫煙者の満足度が低いものであった。さらに、先端側にファン駆動用のモータや乾電池を内蔵するので重くて使いにくく、構造が複雑でコストも高い等の問題があり、実用性が低いものであった。そこで、禁煙場所でもタバコの風味を十分に味わえ、タバコを吸えない際のストレス等の解消または軽減を期待できる簡便な器具が求められていた。
【０００５】
本考案は上記従来の課題に鑑みてなされたものであり、その目的は、煙を出すことなく手軽にタバコの風味を味わうことができるとともに使用場所が制限されにくく、さらには、構造が簡単で低コストであり、節煙効果も期待できる無煙タバコパイプを提供することにある。
【課題を解決するための手段】
【０００６】
上記課題を解決するために本考案は、一端側に吸口部１６が形成されるとともに他端側にタバコの円柱状フィルタ部（２２、２４）を挿脱自在に挿入させる挿入口１８が形成され、タバコのフィルタ部（２２、２４）を少なくとも２個直列状に収容し得る長さの中空筒体からなり、挿入口側に燃え残し付きフィルタ部２４を該燃え残し部分２６が筒体端部から突出するように挿入されるパイプ本体１２と、タバコ（２８）の燃え残し部分２６を挿脱可能に挿入外嵌させて該燃え残し部分２６を覆いつつパイプ本体１２に接続され、パイプ本体１２の吸口部１６からの吸引に対する通気を確保しながらタバコ（２８）の燃え残し部分２６に装着される筒状のキャップ部材１４と、を備えたことを特徴とする無煙タバコパイプ１０から構成される。パイプ本体、キャップ部材は、円筒形状、角筒状、或は外面に凹凸曲面を有する形状等その他種々の形状でもよい。パイプ本体、キャップ部材の材質は、プラスチック等の硬質合成樹脂、金属その他任意でよい。火を使用しないので、耐熱、耐火する必要がなく材料コストが安くてすむ、キャップ部材は、全体または一部が繊維質等の通気性のあるものから形成されることとしてもよい。例えば、キャップ部材は、網を筒状に形成し、その網の周囲を灰が落ちないように綿やその他繊維質のもので被覆したものでも良い。
【０００７】
また、キャップ部材１４は両端開口した中空筒体で設けられ、タバコ（２８）の燃え残し部分２６に装着された際の延長他端側の開口部には、通気性を有しながら灰の落下を防止する通気性閉鎖手段３１が設けられたこととしてもよい。
【０００８】
この際、通気性閉鎖手段３１は、通気性栓部材３０であることするとよい。通気性栓部材は、例えば、紙、綿、その他の灰が落ちない程度の隙間で通気性がある繊維を利用すると好適である、また、通気性栓部材は、中実または中空の栓部材に連通孔を穿孔したものでもよい。
【０００９】
また、通気性栓部材（３０）は、タバコのフィルタ部を利用することとしてもよい。タバコのフィルタ部は、未使用のものまたは、火を着けて吸ったタバコの吸殻のフィルタ部を利用してもよい。吸殻のフィルタ部を使うと、吸口部から吸引するタバコの風味が強くなり得る。
【００１０】
また、パイプ本体１２の挿入口１８側にフィルタ部２４を挿入させたタバコ（２８）の燃え残し部分２６にキャップ部材１４を装着させてキャップ部材１４を支持させ、パイプ本体１２の端部とキャップ部材１４の端部を突き合わせて接続させることとしてもよい。パイプ本体とキャップ部材の突き合わせ部分は、筒体の軸方向に対して垂直でも良く、斜めに形成されていてもよい。
【考案の効果】
【００１１】
本考案の無煙タバコパイプは、一端側に吸口部が形成されるとともに他端側にタバコの円柱状フィルタ部を挿脱自在に挿入させる挿入口が形成され、タバコのフィルタ部を少なくとも２個直列状に収容し得る長さの中空筒体からなり、挿入口側に燃え残し付きフィルタ部を該燃え残し部分が筒体端部から突出するように挿入されるパイプ本体と、タバコの燃え残し部分を挿脱可能に挿入外嵌させて該燃え残し部分を覆いつつパイプ本体に接続され、パイプ本体の吸口部からの吸引に対する通気を確保しながらタバコの燃え残し部分に装着される筒状のキャップ部材と、を備えたことから、煙を全く出さずにタバコの風味を味わえる結果、使用場所が制限されず禁煙場所での使用でき、タバコを吸えない際のストレスの解消、軽減を期待できる。例えば、病院、レストラン、役場、駅、会社、ビル、その他の公共の施設、商業施設、娯楽施設内またはバス、電車、飛行機等の公共の乗物内等でも、使用者が無煙タバコパイプを吸って一応満足することができ、タバコを吸わなくても一応我慢できる。しかも、口にタバコの風味がスムーズに流れ込み、その風味を十分に味わえるとともに、使用者の好みに応じた味の銘柄を選択して使用できるので満足度が高い。同時に、衣服や室内等にニコチン等の汚れが付着したり、他人に健康被害を及ぼす等の煙害の防止及び、使用する際に火を使わないので火災防止、危険防止を図ることができる。また、構造が簡単で低コストで製造できるとともに、手軽に持ち運んで簡単に使用でき、実用性が高い。さらに、喫煙する代わりに使用することで節煙効果を期待でき、喫煙者の健康維持も期待できる。タバコの吸殻を利用でき、使用コストが安いとともに、タバコの吸殻のポイ捨ての防止、低減も図ることができる。
【００１２】
また、キャップ部材は両端開口した中空筒体で設けられ、タバコの燃え残し部分に装着された際の延長他端側の開口部には、通気性を有しながら灰の落下を防止する通気性閉鎖手段が設けられた構成とすることにより、キャップ部材の構成を簡単にしつつ、吸引に対する通気の確保と燃え残し部分からの灰落ちの防止を良好に行うことができる。
【００１３】
また、通気性閉鎖手段は、通気性栓部材である構成とすることにより、キャップ部材は単に筒形状に設けるだけでよく製造がより簡単であり、該栓部材を脱着自在にすることでキャップ部材の清掃、点検、メンテナンスも簡単に行える。
【００１４】
また、通気性栓部材は、タバコのフィルタ部を利用する構成とすることにより、簡単に手に入るとともに、吸ったタバコのフィルタ部を再利用することもできる。また、灰が詰まって通気性が低減するようなことが起こりにくく、良好に使用できる。
【００１５】
また、パイプ本体の挿入口側にフィルタ部を挿入させたタバコの燃え残し部分にキャップ部材を装着させてキャップ部材を支持させ、パイプ本体の端部とキャップ部材の端部を突き合わせて接続させる構成とすることにより、パイプ本体とキャップ部材の接続を簡単に構成でき、パイプ本体やキャップ部材を簡単な形状で製造できる。また、キャップ部材の脱着が円滑に行え、パイプ本体へのタバコやフィルタ部の挿入、離脱、交換或は各部材のメンテナンスも簡単に行える。
【考案を実施するための最良の形態】
【００１６】
以下添付図面を参照しつつ本考案の実施の形態を説明する。本考案の無煙タバコパイプは、筒体の内部に、例えば、１度吸ったタバコや燃え残し付タバコ等のタバコの風味を発するものを挿入しておき、筒体の一端側の吸口部から吸引することで、煙を全く出さずにタバコの風味を味わうことができる。
【００１７】
図１ないし図３は、本考案の一つの実施の形態を説明している。本実施形態において、無煙タバコパイプ１０は、図１、図３に示すように、全体的に細長い筒状に形成され、２つの筒状部材を長さ方向に接続できるようになっている。無煙タバコパイプ１０は、パイプ本体１２と、キャップ部材１４と、を有している。
【００１８】
パイプ本体１２は、図１ないし図３に示すように、両端が開口された両開口を内部連通させた中空筒体で形成されており、一端側に吸口部１６が設けられるととともに他端側にタバコのフィルタ部を筒内部へ挿脱自在に挿入させる挿入口１８が設けられている。パイプ本体１２は、吸口部１６から吸引してタバコの風味を味わう吸引手段であり、中空内部にタバコの風味の発生源を備えたタバコのフィルタ部（２２、２４）を挿入し支持する。本実施形態において、パイプ本体１２は、例えば、プラスチック等の硬質樹脂から形成され、直線状に設けられた中空円筒状の円筒胴部２０でタバコのフィルタ部を収容し得る収容部が形成されている。円筒胴部２０の一端側（図１上、左側）には、上下に幅が狭くなるように形成された縮径段部１９を介して上下面が扁平した略角筒形状に形成された吸口部１６が一体的に連設されている。吸口部１６を扁平形状に形成することで、該吸口部をくわえやすいとともに、縮径段部１９で円筒胴部内に収容するタバコのフィルタ部が吸口部側へ移動するのを規制している。パイプ本体１２は、例えば、タバコのフィルタ部を少なくとも２個直列状に収容し得る長さで形成されており、本実施形態では、円筒胴部２０がフィルタ部を２個収容できる長さで設定されている。例えば、パイプ本体１２は、全体として７ｃｍ程度に設定されており、円筒胴部２０の長さが５ｃｍ程度、吸口部１６の長さが２ｃｍ程度に設定されている。円筒胴部２０の内径は、例えば、７．５ｍｍ程度で、挿入されるタバコのフィルタ部の外径と略同じ程度に設定されている。また、円筒胴部の外径は、約１ｃｍ程度に設定されている。なお、パイプ本体は、上記したものに限らず、その長さや吸口部の形状、筒体の肉厚等、任意に設定してもよい。
【００１９】
本実施形態では、パイプ本体１２の円筒胴部２０内には、タバコの円柱状フィルタ部からなるフィルタ部材２２が挿入されるとともに、挿入口１８側に燃え残し部分２６を有する燃え残しタバコ２８のフィルタ部２４が挿入され、２つのタバコのフィルタ部が直列状に収容される。挿入口１８側の燃え残しタバコ２８は、フィルタ部２４だけパイプ本体内に挿入させており、燃え残し部分２６はパイプ本体１２端部から外側に向けて突出するようになっている。これにより、燃え残し付きタバコの交換が円滑に行えるとともに、後述するキャップ部材１４のタバコへの装着、パイプ本体との接続を簡単に行える。フィルタ部材２２及び燃え残し付きタバコ２８は、それぞれ予めタバコに火を着けて通常通り吸ったもの（吸殻）を利用すると好適である。タバコの一部分を燃やしておくことで、燃え残し部分先端の灰部２９からタバコの風味を強く発するようになる。また、フィルタ部は、アセテート繊維や紙等からなり、タバコを吸った際に濾過した煙や喫味成分が残っているので、ニコチンやタバコ独特の臭い、味の発生源として利用できる。上記のように、パイプ本体１２内にフィルタ部を複数個並べて配置させることで、使用者が吸口部から吸引するタバコの風味を強く感じられることが期待できる。なお、本実施形態では、パイプ本体１２内に収容されるフィルタ部は２個としたが、３個以上収容されるようにしてもよく、例えば、フィルタ部材を２個以上挿入してもよい。吸口部１６から吸引すると、燃え残し部分やフィルタ部から生じるタバコ独特の風味、ニコチンの臭いや味を含む空気が使用者の口内に流れ込み、使用者はその風味を十分に味わうことができる。パイプ本体１２は、透明なプラスチックで形成するとよく、使用する際にパイプ本体やその内部のフィルタ部に付着する汚れを外側から確認でき、タバコの交換又はパイプ本体の清掃、交換時期の目安とすることができる。なお、パイプ本体１２は、タバコを吸う際の単なるパイプとしても利用することができる。この場合、新しいタバコをパイプ本体の挿入口側に挿入し、火を着けて吸引口からタバコの煙を吸引する。フィルタ部が直列状に２個あるのでフィルタ部が長くなり、ニコチン等の物質を濾過できる量が多く、フィルタ部内に残るニコチンやタバコの喫味成分が多くなり吸引する際のタバコの風味が強くなり得る。タバコを半分程度まで吸ったら火を消して燃え残しタバコ２８としてそのまま利用することができる。
【００２０】
キャップ部材１４は、燃え残しタバコ２８の燃え残し部分２６に挿脱可能に挿入外嵌させて燃え残し部分を覆いつつパイプ本体１２に接続され、燃え残し部分の保護及び灰の落下を防止する。さらに、キャップ部材１４は、パイプ本体１２の吸口部１６からの吸引に対して通気を確保するように設けられており、吸引の際にタバコの風味を含む空気の流れをスムーズにし得る。図１ないし図３に示すように、本実施形態では、キャップ部材１４は、プラスチック等の硬質合成樹脂で形成され、両端を開口した直線状の中空円筒体からなる。キャップ部材１４の内径、外径は、パイプ本体１２の円筒胴部と同じ大きさで設定され、例えば、内径が約７．５ｍｍ、外形が約１ｃｍ程度に設定される。キャップ部材１４は、いずれか一端側（図３上、左側）の開口から燃え残しタバコ２８の燃え残し部分２６に挿入外嵌させてタバコに装着され、芯合せされた状態で支持されながら、キャップ部材の端部とパイプ本体１２の端部を互いに突き合わせしてパイプ本体１２と接続される。これにより、接続構成が簡単で、キャップ部材やパイプ本体を特殊な形状に加工する必要もないとともに、キャップ部材１４の脱着がスムーズに行え、しかもタバコのフィルタ部の挿脱も円滑に使用できる。
【００２１】
一方、キャップ部材の延長他端側（図１上、右側）には、前記のような吸引に対する通気性を確保し得るとともに燃え残し部分からキャップ部材内部に落ちた灰が外部へ落ちるのを防止する通気性閉鎖手段３１が設けられている。本実施形態では、通気性閉鎖手段３１は、筒状のキャップ部材の延長他端側の開口にタバコの吸殻のフィルタ部から設けられる他のフィルタ部材３０を挿入させるようになっている。すなわち、他のフィルタ部材３０は、キャップ部材１４の延長他端側の開口を栓状に閉鎖する脱着自在の通気性栓部材である。このように筒体の先端側に通気性栓部材（他のフィルタ部材３０）を挿入することで、キャップ部材を簡単、安価な構成に維持しつつ、通気の確保と灰落下防止できる構成を具体的に実現できる。尚、通気性栓部材としては、タバコのフィルタ部に限らず、通気性を有しつつ灰落ちを防止できるものであればよく、未使用のタバコのフィルタ部、または、紙や綿、その他繊維質のものをキャップ部材内径に合わせて加工したものでも良い。また、意匠感を良くするためにキャップ部材の外面側に色彩や模様等を施してもよい。
【００２２】
なお、キャップ部材は上記した形態のものに限らない。例えば、図４、図５には、キャップ部材の他の形態が例示されている。図４において、キャップ部材１４の先端側には、開口を閉鎖するようにキャップ部材端部に外嵌される蓋部材３２が脱着自在に装着されている。この蓋部材３２には、キャップ部材１４の内外を連通する複数の小さな連通孔３４が形成されている。この蓋部材３２で灰落ちを防止しつつ連通孔３４で通気性を確保することにより、通気性閉鎖手段３１を設けることとしてもよい。また、図５に示すように、キャップ部材１４の一端側に筒体内外を閉鎖する壁部３５を一体的に形成し、該壁部３５に複数の連通孔３６を穿孔することとしてもよい。キャップ部材自体と壁部とを一体的に設けると部品管理がしやすくなる。
【００２３】
次に、本実施形態に係る無煙タバコパイプの作用について説明する。予めタバコに火を着けて通常通り吸っておき、その吸った後に残るフィルタ部をフィルタ部材２２、他のフィルタ部材３０として用意しておく。また、タバコを半分まで吸って火を消したものを燃え残しタバコ２８として用意する。なお、燃え残しタバコ２８は、フィルタ部材２２を挿入したパイプ本体１２の挿入口側に新しいタバコを挿入した状態で火を着けて、半分まで吸ったものを利用してもよい。そして、例えば、レストランや飛行機内等の禁煙場所でタバコを吸いたくなった際には、図３に示すように、パイプ本体１２内に挿入口１８を介して、まずフィルタ部材２２を挿入し、続いて先に入れたフィルタ部材２２を吸口部側の縮径段部まで押し込むように燃え残しタバコ２８のフィルタ部２４を挿入し、燃え残し部分２６をパイプ本体１２の端部から突出させる。図１に示すように、キャップ部材１４を一端側の開口から燃え残しタバコ２８の燃え残し部分２６を挿入外嵌させて支持させ、キャップ部材の端部をパイプ本体１２の端部と突き合わせて接続させる。パイプ本体とキャップ部材の接続構成が簡単なので、パイプ本体やキャップ部材の形状簡単であるとともに、キャップ部材の燃え残し部分への脱着を円滑に行え、さらに、パイプ本体へのフィルタ部の脱着、交換もスムーズに行える。キャップ部材１４の他端側には、燃え残し部分２６からキャップ部材内部に落ちた灰が外部に落ちるのを防止するため通気性閉鎖手段３１として他のフィルタ部材３０を挿入する。他のフィルタ部材は、キャップ部材の通気性の確保と灰落ち防止を簡単に構成し得る。このように無煙タバコパイプにタバコのフィルタ部を配置すると、吸口部１６、フィルタ部材２２、燃え残しタバコ２８、他のフィルタ部材３０が略一直線状に配置される。使用者がパイプ本体１２の吸口部１６から吸引すると、パイプ本体内に収容したタバコのフィルタ部や燃え残し部分２６から、例えば、ニコチン等のタバコの風味を含む空気が使用者の口にスムーズに流れ込み、タバコに似た味を味わうことができる。これにより、使用時に煙を全く出すことなく、航空機内等の禁煙場所や道路等でも手軽にタバコの風味を味わって一応満足することができるとともに、禁煙時のストレスの解消または軽減を期待でき、タバコを吸うのを一応我慢することできる。さらに、室内や車内、あるいは衣服等にニコチン等が付着せず、周囲のものへの健康被害等を含む煙害の防止及び、火を使わないので火災防止を図ることができる。さらに、使用する際に、好みに応じたタバコの種々の銘柄を選択できる。禁煙場所に限らずタバコを喫煙する代わりに使用すると、節煙効果を期待できる。なお、タバコの味や臭いが低下した場合には、キャップ部材１４を外し、燃え残しタバコ２８またはフィルタ部材２２を離脱して交換する。パイプ本体１２内に全体が挿入されるフィルタ部材２２を交換する際には、挿入口側から針やつまようじなどで突き刺して引き抜くと簡単に離脱できる。
【００２４】
以上説明した本考案の無煙タバコパイプは、上記した実施の形態にのみ限定されるものではなく、実用新案登録請求の範囲に記載した考案の本質を逸脱しない範囲の変形も本考案に含まれる。
【図面の簡単な説明】
【００２５】
【図１】本考案の無煙タバコパイプの実施形態の断面説明図である。
【図２】図１の無煙タバコパイプの斜視説明図である。
【図３】図１の無煙タバコパイプの分解断面説明図である。
【図４】キャップ部材の他の形態の断面要部説明図である。
【図５】キャップ部材の他の形態の断面要部説明図である。
【符号の説明】
【００２６】
１０  無煙タバコパイプ
１２  パイプ本体
１４  キャップ部材
１６  吸口部
１８  挿入口
２２  フィルタ部材
２４  フィルタ部
２６  燃え残し部分
２８  燃え残し付タバコ
３０  他のフィルタ部材
３１  通気性閉鎖手段
【図１】
0003103669.tif 000003
【図２】
0003103669.tif 000004
【図３】
0003103669.tif 000005
【図４】
0003103669.tif 000006
【図５】
0003103669.tif 000007